(57)【要約】【課題】　特に，ハイライトモードにおける映像信号の輝度特性を改善するための映像処理装置の画面輝度制御方法及び画面輝度制御装置を提供する。【解決手段】　ハイライトモードにおいて，ペデスタル駆動電圧レベルを降下させ，この低下分，映像信号の電圧（輝度制御電圧）レベルを上昇させる。これによって，信号増幅度に制限がある回路であっても，回路を変更することなく，ハイライトモードにおいて映像が飽和してしまうことを防止しつつ，画面輝度を向上させることが可能となる。【選択図】　図１
2004147324.tif 000002
【特許請求の範囲】
【請求項１】
　ハイライトモードがイネーブルかどうかを判断する段階と，
　前記ハイライトモードがイネーブルの場合，ペデスタル駆動電圧範囲を第１所定レベルだけ縮小させ，輝度制御電圧範囲を第２所定レベルだけ拡張する段階と，
を含むことを特徴とする，映像処理装置の画面輝度制御方法。
【請求項２】
　前記第１所定レベルと前記第２所定レベルを実質的に同一に設定することを特徴とする，請求項１に記載の映像処理装置の画面輝度制御方法。
【請求項３】
　映像処理装置に適用される画面輝度制御装置において，
　輝度調整データ，一般モード用の第１ペデスタルレベルデータ，ハイライトモード用の第２ペデスタルレベルデータ，及びレベルアップデータを保存するメモリと，
　ハイライトモードがイネーブルの場合に，前記メモリから前記輝度調整データ，前記第２ペデスタルレベルデータ，及び前記レベルアップデータを読み込んで，前記第２ペデスタルレベルデータを第１駆動関数に適用することによって第１駆動電圧を生成し，前記輝度調整データと前記レベルアップデータを合算して，当該合算結果を第２駆動関数に適用することによって第２駆動電圧を生成する制御部と，
　前記制御部で生成された前記第１駆動電圧と前記第２駆動電圧を用いて入力映像信号を増幅させて出力する信号処理回路と，
を含むことを特徴とする，画面輝度制御装置。
【請求項４】
　前記第１ペデスタルレベルデータと前記第２ペデスタルレベルデータは，
前記第２ペデスタルレベルデータを前記第１駆動関数に適用することによって得られた前記第１駆動電圧が，前記第１ペデスタルレベルデータを前記第１駆動関数に適用することによって得られた電圧値より低くなるように設定されることを特徴とする，請求項３に記載の画面輝度制御装置。
【請求項５】
　前記第１ペデスタルレベルデータ，前記第２ペデスタルレベルデータ，及び前記レベルアップデータは，
　前記第１ペデスタルレベルデータと第２ペデスタルレベルデータを各々前記第１駆動関数に適用することによって得られた駆動電圧の差と，前記レベルアップデータを前記第２駆動関数に適用することによって得られた電圧値とが実質的に一致するように設定されることを特徴とする，請求項３または４に記載の画面輝度制御装置。
【請求項６】
　映像処理装置に適用される画面輝度制御装置において，
　データを保存するメモリと，
　ハイライトモードがイネーブルかどうかを判断して，ハイライトモードがイネーブルである場合，前記メモリに保存されているデータを用いて，ペデスタル駆動電圧と輝度制御電圧を生成する制御部と，
　前記ペデスタル駆動電圧と前記輝度制御電圧を用いて映像信号を増幅して出力する信号処理回路と，
を含むことを特徴とする画面輝度制御装置。
【請求項７】
　前記データは，輝度調整データ，一般モード用の第１ペデスタルレベルデータ，ハイライトモード用の第２ペデスタルレベルデータ，及びレベルアップデータを含むことを特徴とする，請求項６に記載の画面輝度制御装置。
【請求項８】
　前記制御部は，第１駆動関数に前記第２ペデスタルレベルデータを適用することによって前記ペデスタル駆動電圧を算出することを特徴とする，請求項６または７に記載の画面輝度制御装置。
【請求項９】
　前記制御部は，前記輝度調整データと前記レベルアップデータを合算し，合算して得られたデータを第２駆動関数に適用することによって，前記輝度制御電圧を算出することを特徴とする，請求項７または８に記載の画面輝度制御装置。
【請求項１０】
　前記第１ペデスタルレベルデータと前記第２ペデスタルレベルデータは，
前記第２ペデスタルレベルデータを用いて得られた前記ペデスタル駆動電圧が，前記第１ペデスタルレベルデータを用いて得られた前記ペデスタル駆動電圧より低くなるように設定されることを特徴とする，請求項７〜９のいずれかに記載の画面輝度制御装置。
【請求項１１】
　前記レベルアップデータは，
前記輝度制御電圧が，前記第１ペデスタルレベルデータと前記第２ペデスタルレベルデータに基づく各前記ペデスタル駆動電圧の差に対応する値によって増大するように設定されることを特徴とする，請求項７〜１０のいずれかに記載の画面輝度制御装置。
【請求項１２】
　前記映像処理装置を制御するキー入力手段と，
　前記映像処理装置を外部から制御するためのインターフェース手段と，
をさらに含むことを特徴とする，請求項６〜１１のいずれかに記載の画面輝度制御装置。
【請求項１３】
　画面全体または選択された一部分の画面の輝度を向上させるために前記映像信号を処理するハイライト処理部をさらに含むことを特徴とする，請求項６〜１２のいずれかに記載の画面輝度制御装置。
【請求項１４】
　前記ハイライト処理部から出力された前記映像信号を１次増幅するプリアンプと，
　前記プリアンプから出力された信号を輝度調整値に応じて２次増幅するメインアンプと，
　前記メインアンプから出力された信号を光信号に変換するディスプレイ装置と，
をさらに含むことを特徴とする，請求項１３に記載の画面輝度制御装置。
【請求項１５】
　フライバックトランスフォーマの２次側巻線に流れるビーム電流を検出し，検出されたビーム電流に従って前記プリアンプのコントラスト電圧を可変させて，前記ディスプレイ装置の画面のコントラストを制御する自動輝度制限回路をさらに含むことを特徴とする，請求項１４に記載の画面輝度制御装置。
【請求項１６】
　ハイライトモードがイネーブルかどうかを判断する段階と，
　前記ハイライトモードがイネーブルの場合，ペデスタル駆動電圧範囲を縮小させ，前記ペデスタル駆動電圧範囲の縮小分だけ輝度制御電圧範囲を拡張させる段階と，
を含むことを特徴とする，映像処理装置の画面輝度制御方法。
【請求項１７】
　前記ハイライトモードは，キー入力手段またはインターフェース手段に接続された外部装置によってイネーブル化されることを特徴とする，請求項１６に記載の映像処理装置の画面輝度制御方法。
【請求項１８】
　前記ペデスタル駆動電圧範囲を縮小させるプロセスは，
　輝度調整データ，ハイライトモード用の第２ペデスタルレベルデータ，及びレベルアップデータを読み込む段階と，
　ペデスタル駆動関数に前記第２ペデスタルレベルデータを適用することによってペデスタル駆動電圧を算出する段階と，
　輝度駆動関数に前記輝度調整データと前記レベルアップデータの合算結果を適用することによって輝度制御電圧を算出する段階と，
を含むことを特徴とする，請求項１６または１７に記載の映像処理装置の画面輝度制御方法。
【請求項１９】
　前記ペデスタル駆動電圧と前記輝度制御電圧を用いて，映像信号を処理する段階をさらに含むことを特徴とする，請求項１８に記載の映像処理装置の画面輝度制御方法。
【請求項２０】
　前記ハイライトモードがイネーブルになっていない場合，一般モード用の第１ペデスタルレベルデータを読み込み，前記第１ペデスタルレベルデータをペデスタル駆動関数に適用することによって得られた電圧でペデスタル駆動電圧を決定することを特徴とする，請求項１６〜１９のいずれかに記載の映像処理装置の画面輝度制御方法。
【発明の詳細な説明】
【技術分野】
【０００１】
　本発明は，画面に表示される映像の輝度特性を改善するための映像処理装置の画面輝度制御方法及び画面輝度制御装置に関する。
【背景技術】
【０００２】
　一般的に，ディスプレイ装置のような映像処理装置は，電気的な入力映像信号をハイライト回路において処理することによって，画面の輝度を向上させる。ハイライト回路から出力された入力映像信号は，プリアンプ回路及びメインアンプ回路によって増幅され，例えば，映像信号に相応する光を発する陰極線管（ＣＲＴ：Ｃａｔｈｏｄｅ−Ｒａｙ　Ｔｕｂｅ）に与えられる。ディスプレイ装置の画面に表示される映像の輝度は，映像信号の大きさによって決定される。
【０００３】
　下記特許文献１には，コンピュータで画面表示プログラムを実行して画面の部位毎の明るさを適宜変化させた表示画面を生成する画面生成装置に関する技術が開示されている。また，下記特許文献２には，情報処理装置から出力された画像信号の表示属性を変更して画像表示装置に表示する画像表示システムに関する技術が開示されている。
【０００４】
【特許文献１】特開平１１−２９６３３８号公報
【特許文献２】特開平１０−２７５０７４号公報
【発明の開示】
【発明が解決しようとする課題】
【０００５】
　しかしながら，従来，映像信号の大きさがプリアンプやメインアンプを構成する回路素子の特性によって一定の範囲に制限されてしまうため，ユーザが所望する輝度の映像を表示できない場合があった。
【０００６】
　特に，映像の輝度を高めるハイライトモードにおいて，プリアンプやメインアンプが映像信号を十分に増幅できない場合，映像信号が飽和してしまう可能性があった。映像信号が飽和すると，画質が劣化してしまう。
【０００７】
　本発明は，このような問題に鑑みてなされたもので，その目的は，映像信号の輝度特性を改善する映像処理装置の画面輝度制御方法及び画面輝度制御装置を提供することにある。
【課題を解決するための手段】
【０００８】
　上記課題を解決するために，本発明の第１の観点によれば，ハイライトモードがイネーブルかどうかを判断する段階と，ハイライトモードがイネーブルの場合，ペデスタル駆動電圧範囲を第１所定レベルだけ縮小させ，輝度制御電圧範囲を第２所定レベルだけ拡張する段階とを含むことを特徴とする，映像処理装置の画面輝度制御方法が提供される。
【０００９】
　また，上記課題を解決するために，本発明の第２の観点によれば，ハイライトモードがイネーブルかどうかを判断する段階と，ハイライトモードがイネーブルの場合，ペデスタル駆動電圧範囲を縮小させ，ペデスタル駆動電圧範囲の縮小分だけ輝度制御電圧範囲を拡張させる段階とを含むことを特徴とする，映像処理装置の画面輝度制御方法が提供される。
【００１０】
　かかる方法によれば，輝度制御電圧の範囲が拡張されるため，画面輝度の調整範囲が拡大する。この結果，ハイライトモードにおける映像表示画面の輝度特性の向上が実現する。
【００１１】
　また，上記課題を解決するために，本発明の第３観点によれば，映像処理装置に適用される画面輝度制御装置が提供される。そして，この画面輝度制御装置は，輝度調整データ，一般モード用の第１ペデスタルレベルデータ，ハイライトモード用の第２ペデスタルレベルデータ，及びレベルアップデータを保存するメモリと，ハイライトモードがイネーブルの場合に，メモリから輝度調整データ，第２ペデスタルレベルデータ，及びレベルアップデータを読み込んで，第２ペデスタルレベルデータを第１駆動関数に適用することによって第１駆動電圧を生成し，輝度調整データとレベルアップデータを合算して，当該合算結果を第２駆動関数に適用することによって第２駆動電圧を生成する制御部と，制御部で生成された第１駆動電圧と第２駆動電圧を用いて入力映像信号を増幅させて出力する信号処理回路とを含むことを特徴としている。
【００１２】
　また，上記課題を解決するために，本発明の第３観点によれば，映像処理装置に適用される画面輝度制御装置が提供される。そして，この画面輝度制御装置は，データを保存するメモリと，ハイライトモードがイネーブルかどうかを判断して，ハイライトモードがイネーブルである場合，メモリに保存されているデータを用いて，ペデスタル駆動電圧と輝度制御電圧を生成する制御部と，ペデスタル駆動電圧と輝度制御電圧を用いて映像信号を増幅して出力する信号処理回路とを含むことを特徴としている。
【００１３】
　かかる構成によれば，第２ペデスタルレベルデータとレベルアップデータから第１駆動電圧（ペデスタル駆動電圧）と第２駆動電圧（輝度制御電圧）が生成され，これらの駆動電圧によって映像信号が処理され，画面輝度が調整される。したがって，第２ペデスタルレベルデータとレベルアップデータを予め適切に設定しておくことで，特にハイライトモードにおける画面輝度特性を向上させることが可能となる。
【発明の効果】
【００１４】
　本発明によれば，ハイライトモードにおいて，ペデスタル駆動電圧範囲が縮小し，これに対応して輝度制御電圧範囲が拡張する。この結果，映像表示画面の輝度特性の向上が実現する。
【発明を実施するための最良の形態】
【００１５】
　以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１６】
　図１に示すように，本発明の実施の形態にかかる画面輝度制御装置は，映像処理装置に適用されるものであり，ハイライト処理部１０１，プリアンプ（ビデオプリアンプ）１０２，メインアンプ（ビデオパワーアンプ）１０３，制御部１０４，キー入力手段１０５，メモリ１０６，自動輝度制限回路１０７，カットオフ電圧制御回路１０８，及びインターフェース手段１０９を具備する。
【００１７】
　映像信号を処理して出力するディスプレイ装置等の映像処理装置において，映像信号駆動電圧は，ディスプレイ装置の回路素子の特性によって，所定の範囲に制限される。この映像信号駆動電圧の範囲に応じて，映像信号の輝度特性を制御するための輝度制御電圧の範囲（レベル）が決定される。映像信号は同期信号を含んでいるために，輝度制御電圧の範囲は，映像信号駆動電圧の範囲から同期信号駆動電圧に対応するペデスタル駆動電圧を差し引いたものとなる。
【００１８】
　図３Ａに示すように，ディスプレイ装置における映像信号駆動電圧の範囲は，電圧Ｖ１＋Ｖ２である。ここで，電圧Ｖ１は同期信号駆動電圧に対応するペデスタル駆動電圧に相当する。したがって，輝度制御電圧の範囲は，電圧Ｖ２に相当する。
【００１９】
　本実施の形態によれば，ペデスタル駆動電圧の範囲が，少なくともハイライトモードにおいて可変である。このため，輝度制御電圧の範囲がハイライトモードにおいて拡大可能となる。
【００２０】
　回路素子の特性上，映像信号駆動電圧のトータル範囲Ｖ１＋Ｖ２は拡張できない。しかし，ペデスタル駆動電圧の範囲Ｖ１を低下させることによって，このペデスタル駆動電圧の低下分だけ，ホワイトレベルからブラックレベルまでの輝度特性を制御する輝度制御電圧の範囲Ｖ２を拡張できるようになる。このように本実施の形態によれば，ハイライトモードにおいて，ペデスタル駆動電圧の範囲を低下させて輝度制御電圧の範囲を拡張させることによって，画面輝度を向上させることが可能となる。
【００２１】
　特に，ハイライトモードでは一般モードに比べて輝度の向上が求められるため，映像の輝度を制御する輝度制御電圧の範囲をより拡張させる必要がある。本実施の形態は，ハイライトモードにおいてペデスタルレベルを所定レベルだけ低下させて，映像の輝度範囲を拡張することを特徴としている。以下，この特徴について詳しく説明する。
【００２２】
　ここで再び図１を参照する。メモリ１０６には映像処理装置を制御する各種プログラム及びデータが保存されている。メモリ１０６に保存されるデータとしては例えば，輝度調整データ，一般モードのための第１ペデスタルレベルデータ，ハイライトモードのための第２ペデスタルレベルデータ，及びレベルアップデータがある。
【００２３】
　本実施の形態においては，第２ペデスタルレベルデータを使用することによって得られるペデスタル駆動電圧が第１ペデスタルレベルデータを使用することによって得られるペデスタル駆動電圧より低くなるように，第１ペデスタルデータと第２ペデスタルデータが設定される。また，レベルアップデータは，第１ペデスタルレベルデータと第２ペデスタルレベルデータにそれぞれ基づくペデスタル駆動電圧の差に対応する値によって輝度制御電圧が増加するように決定される。
【００２４】
　例えば，ディスプレイ装置の映像信号駆動電圧が５４Ｖの範囲である場合，第１ペデスタルレベルデータは，１４Ｖの範囲を有する第１ペデスタル駆動電圧を生じさせるように設定され，第２ペデスタルレベルデータは，１０Ｖの範囲を有する第２ペデスタル駆動電圧を生じさせるように設定され，レベルアップデータは，輝度駆動電圧を４Ｖ高めるように設定される。
【００２５】
　キー入力手段１０５は，映像処理装置を操作するための各種ボタンキーを備えている。キー入力手段１０５として例えば，リモートコントローラを適用することができる。
【００２６】
インターフェース手段１０９は，コンピュータのような外部装置（外部接続装置）とデータ通信を行うためのハードウェア及びソフトウェアによって構成されている。そして，インターフェース手段１０９を通じて外部装置から映像処理装置を制御する各種制御データが伝送される。
【００２７】
　制御部１０４は，キー入力手段１０５またはインターフェース手段１０９を通じて供給された制御データに基づいて，ハイライトモードに設定されているかどうかを判断する機能を有する。ハイライトモードがイネーブルである場合，制御部１０４は，メモリ１０６に保存されている輝度調整データ，第２ペデスタルレベルデータ，及びレベルアップデータを用いて，ペデスタル駆動電圧と輝度制御電圧を生成する。ペデスタル駆動電圧は，第２ペデスタルレベルデータをペデスタル駆動関数に適用することによって算出される。また，輝度制御電圧は，輝度調整データとレベルアップデータを合算して，その加算結果を輝度駆動関数に適用することによって算出される。
【００２８】
　ハイライト処理部１０１は，制御部１０４から供給されたペデスタル駆動電圧及び輝度制御電圧を用いて，映像全体または選択された一部分の輝度を高めるように，入力映像信号（入力ビデオ信号）に対する処理を実行する。
【００２９】
　ハイライト処理部１０１から出力された映像信号は，プリアンプ１０２及びメインアンプ１０３によって，予め設定されたコントラスト調整値に相応する増幅度で増幅された後，電気的映像信号を光信号に変換するカラーディスプレイチューブ（ＣＤＴ：Ｃｏｌｏｒ　Ｄｉｓｐｌａｙ　Ｔｕｂｅ）のようなディスプレイ装置に与えられる。
【００３０】
　自動輝度制限回路１０７は，フライバックトランスフォーマ（図示せず）の２次側巻線に流れるビーム電流を検出し，検出されたビーム電流に従ってプリアンプ１０２のコントラスト電圧を可変させることによって，ディスプレイ装置の画面コントラストを制御する。
【００３１】
　カットオフ電圧制御回路１０８は，フライバックトランスフォーマから出力される電圧を感知して，一定のレベルのカットオフ電圧を生成する。
【００３２】
　ここで，本発明の実施の形態にかかる映像処理装置に適用される輝度制御方法について，図２のフローチャートを参照しながら説明する。
【００３３】
　まず，制御部１０４は，ハイライトモードがイネーブルになっているかどうかを判断する（段階２０１）。ハイライトモードは，ユーザがキー入力手段１０５を利用することによって，またインターフェース手段１０９を介して外部装置によってイネーブルに設定される。
【００３４】
　段階２０１において，ハイライトモードがイネーブルであると判断した場合，制御部１０４は，輝度調整データＢ＿ＤＡＴＡ，ハイライトモードのために予め設定されている第２ペデスタルレベルデータ，及びレベルアップデータＢ＿ＵＰをメモリ１０６から読み込む。そして，制御部１０４は，読み込んだ第２ペデスタルレベルデータをペデスタル駆動関数（第１駆動関数）に適用して電圧ＰＥＤＥＳＴＡＬ＿ＨＭを求め，この電圧ＰＥＤＥＳＴＡＬ＿ＨＭをペデスタル駆動電圧（第１駆動電圧）ＰＥと決定する。また，制御部１０４は，メモリ１０６から読み込んだ輝度調整データＢ＿ＤＡＴＡとレベルアップデータＢ＿ＵＰを合算して，その加算結果を輝度駆動関数（第２駆動関数）ＢＲＩＧＨＴ＿ＤＲＶに適用することによって，輝度制御電圧（第２駆動電圧）ＢＲを算出する（段階２０２）。
【００３５】
　一方，段階２０１において，ハイライトモードがイネーブルになっておらず，一般モードがイネーブルになっていると判断した場合，制御部１０４は，一般モードのために予め設定されている第１ペデスタルレベルデータをメモリ１０６から読み込む。そして，制御部１０４は，読み込んだ第１ペデスタルレベルデータをペデスタル駆動関数に適用して得られた電圧ＰＥＤＥＳＴＡＬ＿ＮＭをペデスタル駆動電圧ＰＥと決定する。また，制御部１０４は，輝度調整データＢ＿ＤＡＴＡを読み込んで，この輝度調整データＢ＿ＤＡＴＡを輝度駆動関数ＢＲＩＧＨＴ＿ＤＲＶに適用することによって輝度制御電圧ＢＲを算出する（段階２０３）。
【００３６】
　続いて，段階２０２または段階２０３で算出されたペデスタル駆動電圧ＰＥ及び輝度制御電圧ＢＲを用いて，入力映像信号を処理する（段階２０４）。
【００３７】
　例えば，一般モードにおいて図３Ａに示したように，ペデスタル駆動電圧Ｖ１が１４Ｖの範囲であり，最大に映像を表現できる輝度制御電圧Ｖ２が５０Ｖの範囲であるならば，ハイライトモードでは図３Ｂに示したように，例えば，ペデスタル駆動電圧Ｖ３は１０Ｖの範囲となり，最大に映像を表現できる輝度制御電圧Ｖ４は５４Ｖの範囲となる。これにより，ハイライトモードでの映像の輝度を調整する輝度制御電圧の範囲は，一般モードに比べて４Ｖ拡張されることが分かる。
【００３８】
　以上説明したように，本実施の形態によれば，ペデスタル駆動電圧と輝度制御電圧は，特別な拡張を伴う回路変更をすることなく，相互に調整され得る。そして，ハイライトモードにおいて，映像輝度を飽和させることなく輝度を高めることが可能となる。
【００３９】
　以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００４０】
　例えば，本発明は，記録媒体に格納されたコンピュータが解読可能なコードとして実施可能であり，またコンピュータ上で実行可能である。記録媒体としては，データを格納する多くの種類の媒体を用いることができる。例えば，記録媒体には，ＲＯＭ(Ｒｅａｄ　Ｏｎｌｙ　Ｍｅｍｏｒｙ)，ＲＡＭ(Ｒａｎｄｏｍ　Ａｃｃｅｓｓ　Ｍｅｍｏｒｙ)，ＣＤ−ＲＯＭ(Ｃｏｍｐａｃｔ　Ｄｉｓｋ　Ｒｅａｄ　Ｏｎｌｙ　Ｍｅｍｏｒｙ)，磁気テープ，ハードディスク，磁気ディスク，フラッシュメモリ，光データ格納装置，及び搬送波（例えば，インターネットにおけるデータ通信）が含まれる。さらに，記録媒体は，ネットワークを介して接続されているコンピュータシステム間に配置され得る。また，本発明は，分散化されたシステムにおいて，コンピュータが解読可能なコードとして格納され実行され得る。
【産業上の利用可能性】
【００４１】
　本発明は，例えば，パーソナルコンピュータ等の情報処理装置から出力された映像信号に応じて画面上に所定の画像を表示するＣＲＴ等の画像表示装置に適用可能である。
【図面の簡単な説明】
【００４２】
【図１】本発明の実施の形態にかかる映像処理装置に適用される画面輝度制御装置の構成を示すブロック図である。
【図２】同実施の形態にかかる映像処理装置に適用される画面輝度制御方法のフローチャートである。
【図３Ａ】一般モードにおける映像駆動電圧の波形図である。
【図３Ｂ】ハイライトモードにおける映像駆動電圧の波形図である。
【符号の説明】
【００４３】
　１０１　　ハイライト処理部
　１０２　　プリアンプ
　１０３　　メインアンプ
　１０４　　制御部
　１０５　　キー入力手段
　１０６　　メモリ
　１０７　　自動輝度制限回路
　１０８　　カットオフ電圧制御回路
　１０９　　インターフェース手段
【図１】
2004147324.tif 000003
【図２】
2004147324.tif 000004
【図３Ａ】
2004147324.tif 000005
【図３Ｂ】
2004147324.tif 000006